(57)【特許請求の範囲】
【請求項１】
設置すべき壁面に少なくとも一部が埋め込まれた手洗器本体を備えた手洗器キャビネットであって、
少なくとも一部が上記壁面に埋め込まれたキャビネット本体と、
上記壁面よりも奥に、上記壁面に対してほぼ平行に延びる平行面部、及びこの平行面部の両側の端部から上記壁面まで延び、上記壁面に対してほぼ直角に向けられた側面部を備え、少なくとも一部が上記キャビネット本体の上方に位置するように配置された埋込プレートと、
上端部の前面が上記壁面よりも奥に位置するように、上記キャビネット本体の天板の上に載置され、上記キャビネット本体に固定される手洗器本体と、を有し、
上記手洗器本体は、上記キャビネット本体の天板と上記手洗器本体の底面とを結合する固定手段のみによって固定され、
上記手洗器本体は、その底面が、上記壁面に対してほぼ平行に延びる当接境界軸線よりも前方の領域のみで上記キャビネット本体の天板と当接し、上記固定手段は、上記当接境界軸線よりも前方の領域、及び上記当接境界軸線よりも後方の領域に配置され、上記手洗器本体の底面を上記キャビネット本体の天板に引きつけることにより固定することを特徴とする手洗器キャビネット。
【請求項２】
上記手洗器本体は、上記壁面に埋め込まれる埋設部と、この埋設部と連続して形成され、上記埋設部よりも幅が広く、上記壁面の前方に突出する突出部と、を備え、上記固定手段は締結用ボルトであり、上記当接境界軸線よりも後方の領域に配置された締結用ボルトを締めることにより、上記手洗器本体を上記当接境界軸線を中心に後方に回転させる力を発生させ、上記突出部の当接面を上記壁面の方向に押しつけて上記手洗器本体を位置決めすることを特徴とする請求項１記載の手洗器キャビネット。
【請求項３】
上記埋込プレートが、床面から１８０ｃｍ以上の高さまで延びる請求項１又は２記載の手洗器キャビネット。
【発明の詳細な説明】
【技術分野】
【０００１】
本発明は手洗器キャビネットに関し、特に、設置すべき壁面に少なくとも一部が埋め込まれた手洗器本体を備えた手洗器キャビネットに関する。
【背景技術】
【０００２】
特開平１１−２２１１７２号公報には、その一部を壁面に埋め込んだ手洗器が記載されている。このような従来の埋め込み式の手洗器は、図７に示すように、手洗器１００の周囲の縁部１０２を、刳り抜いた壁面Ｗの縁や、刳り抜いた壁面Ｗに埋め込んだキャビネットに当接させて位置決めして固定している。
【０００３】
一方、手洗器及びキャビネットを樹脂等で一体に成形した埋め込み式の手洗器キャビネットも知られている。これらの埋め込み式の手洗器は、埋め込まれる壁面からの前出寸法が小さくなるため、スペースファクターに優れており、狭いトイレ室内等に設置するのに適している。
【０００４】
【特許文献１】特開平１１−２２１１７２号公報
【発明の開示】
【発明が解決しようとする課題】
【０００５】
しかしながら、これら従来の埋め込み式の手洗器では、図７に示すように、中に手を差し入れて手を洗う際に、壁面Ｗに当接された手洗器の上端の縁部１０２が視界を遮り、洗っている手指が見え難いという問題がある。このような問題は、使用者の視界を遮ることの無いよう、手洗器の上縁部を、図７に想像線で示すように上方に位置させることにより解消することが可能である。しかしながら、手洗器をこのように構成すると、手洗器の上下方向の寸法が大きくなり、手洗器が陶器製である場合には、その重量が大きくなり過ぎて手洗器を壁面に取り付けることが困難になるという問題が発生する。このような問題は、軽量な材料で手洗器を構成することにより回避することが可能であるが、そのような場合には、手洗器の素材が樹脂等に限定されてしまうという問題が生じる。
【０００６】
また、従来の埋め込み式の手洗器では、図７に示すように、使用者が自然な姿勢で手を洗おうとすると、その頭部が手洗器上方の壁面Ｗと干渉してしまうという問題がある。このため、従来の埋め込み式の手洗器では、使用者は、不自然な姿勢で手を洗うことを余儀なくされてしまうという問題がある。
【０００７】
従って、本発明は、使用者が手を洗う際に、洗っている手指を視認する視界を遮ることのない手洗器キャビネットを提供することを目的としている。
また、本発明は、使用者が自然な姿勢で手を洗うことができる手洗器キャビネットを提供することを目的としている。
【課題を解決するための手段】
【０００８】
上述した課題を解決するために、本発明は、設置すべき壁面に少なくとも一部が埋め込まれた手洗器本体を備えた手洗器キャビネットであって、少なくとも一部が壁面に埋め込まれたキャビネット本体と、壁面よりも奥に、壁面に対してほぼ平行に延びる平行面部、及びこの平行面部の両側の端部から壁面まで延び、壁面に対してほぼ直角に向けられた側面部を備え、少なくとも一部がキャビネット本体の上方に位置するように配置された埋込プレートと、上端部の前面が壁面よりも奥に位置するように、キャビネット本体の天板の上に載置され、キャビネット本体に固定される手洗器本体と、を有し、手洗器本体は、キャビネット本体の天板と手洗器本体の底面とを結合する固定手段のみによって固定され、手洗器本体は、その底面が、壁面に対してほぼ平行に延びる当接境界軸線よりも前方の領域のみでキャビネット本体の天板と当接し、固定手段は、当接境界軸線よりも前方の領域、及び当接境界軸線よりも後方の領域に配置され、手洗器本体の底面をキャビネット本体の天板に引きつけることにより固定することを特徴としている。
【０００９】
このように構成された本発明においては、キャビネット本体の少なくとも一部が壁面に埋め込まれ、このキャビネット本体の上方には埋込プレートが配置される。手洗器本体は、キャビネット本体の上に載置され、キャビネット本体に固定される。この手洗器本体は、その上端部の前面が壁面よりも奥に位置するように位置決めされる。また、当接境界軸線よりも後方の領域に配置された固定手段によって手洗器本体をキャビネット本体の天板に引きつけることにより、当接境界軸線を中心に手洗器本体を回転させる力を発生させ、手洗器本体を位置決めしている。
【００１０】
このように構成された本発明によれば、手洗器本体の上端部の前面が壁面よりも奥に位置するように位置決めされているので、使用者が手を洗う際に、使用者は視線を遮られることなく、手指を視認することができる。また、このように構成された本発明によれば、手洗器本体を、その上端部で固定する必要がないため、手洗器本体の上端部を小型化することができ、手洗器本体の上端部の前面を、容易に壁面よりも奥に位置させることができる。さらに、このように構成された本発明によれば、手洗器本体を、その底面に配置された固定手段のみで容易に位置決めすることができる。
【００１４】
本発明において、好ましくは、手洗器本体は、壁面に埋め込まれる埋設部と、この埋設部と連続して形成され、埋設部よりも幅が広く、壁面の前方に突出する突出部と、を備え、固定手段は締結用ボルトであり、当接境界軸線よりも後方の領域に配置された締結用ボルトを締めることにより、手洗器本体を当接境界軸線を中心に後方に回転させる力を発生させ、突出部の当接面を壁面の方向に押しつけて手洗器本体を位置決めする。
【００１５】
このように構成された本発明によれば、締結用ボルトを締めることにより、手洗器本体を、当接境界軸線を中心に後方に回転させる力を発生させ、突出部の当接面を壁面の方向に押しつけるので、手洗器本体を容易に位置決めすることができる。
【００１６】
本発明において、好ましくは、埋込プレートが、床面から１８０ｃｍ以上の高さまで延びる。
このように構成された本発明によれば、埋込プレートが、床面から十分な高さまで延びているので、手洗器を埋め込んだ壁面が使用者と干渉することが無く、使用者は自然な姿勢で手を洗うことができる。
【発明の効果】
【００１７】
本発明の手洗器キャビネットによれば、使用者は手を洗う際に、洗っている手指を視認する視界を遮られることがない。
また、本発明の手洗器キャビネットによれば、使用者は自然な姿勢で手を洗うことができる。
【発明を実施するための最良の形態】
【００１８】
次に、添付図面を参照して、本発明の実施形態による手洗器キャビネットを説明する。
図１は本発明の実施形態による手洗器キャビネットの側面断面図であり、図２は正面図である。また、図３は図２のIII−III線における断面図であり、図４は図２のIV−IV線における断面図、図５は図２のV−V線における断面図である。
【００１９】
図１乃至図５に示すように、本発明の実施形態による手洗器キャビネット１は、一部が壁面Ｗに埋め込まれたキャビネット本体２と、このキャビネット本体２の上方の壁面Ｗに取り付けられた埋込プレート４と、キャビネット本体２の上に載置され、キャビネット本体２に固定される手洗器本体６と、を有する。
【００２０】
図３に示すように、キャビネット本体２は、壁面Ｗの前方に露出するキャビネット本体前半部２ａと、壁面Ｗの中に埋め込まれるキャビネット本体後半部２ｂと、を有する。キャビネット本体前半部２ａとキャビネット本体後半部２ｂは連続して形成され、キャビネット本体前半部２ａの幅は、キャビネット本体後半部２ｂの幅よりも大きく構成されている。キャビネット本体後半部２ｂの幅は、壁面Ｗの裏側に取り付けられた２本の補強木Ｃの間隔よりも僅かに小さく形成されており、キャビネット本体後半部２ｂは、これらの補強木Ｃの間に挿入される。
【００２１】
また、キャビネット本体２は、キャビネット本体前半部２ａの後端部２ｃを、壁面Ｗに当接させることにより位置決めされている。さらに、キャビネット本体２は、後端部２ｃが壁面Ｗに当接した状態で、キャビネット本体後半部２ｂの側面と補強木Ｃを木ねじ８で固定することにより、壁面Ｗに取り付けられている。また、キャビネット本体２の前面は、蝶番（図示せず）で開閉可能に構成されており、キャビネット本体２内部の空間を収納スペースとして利用できるようになっている。
【００２２】
さらに、図１に示すように、キャビネット本体２は、手洗器本体６を載置するための天板２ｄと、この天板２ｄよりも上方に延びるコの字型断面の背板２ｅと、を有する。背板２ｅは、天板２ｄの上に載置された手洗器本体６の埋め込まれた部分を取り囲むように、手洗器本体６の上端と同じ高さまで延びている（図４）。
【００２３】
埋込プレート４は、図５に示すように、壁面Ｗの奥に、壁面Ｗに対してほぼ平行に延びる平行面部４ａと、平行面部４ａの両側の端部から壁面Ｗまで延び、壁面Ｗに対してほぼ直角に向けられた側面部４ｂと、この側面部４ｂの先端を外方に折り曲げて形成された縁部４ｃと、を有する。従って、埋込プレート４は、概ねコの字形の断面を有する。また、埋込プレート４は、キャビネット本体２の背板２ｅの上端から上方に延びるように配置されている。本実施形態においては、埋込プレート４は、床面Ｆから約１９０ｃｍの高さまで延びるように配置されており、平行面部４ａは壁面Ｗよりも約８ｃｍ奥に位置している。好ましくは、平行面部は壁面Ｗよりも約５乃至８ｃｍ奥に位置するように構成する。
【００２４】
また、埋込プレート４は、縁部４ｃの裏側が、壁面Ｗの表面に当接されることによって、壁面Ｗに対して位置決めされている。埋込プレート４は、その縁部４ｃが壁面Ｗに当接した状態で、側面部４ｂと補強木Ｃを木ねじ８で固定することにより、壁面Ｗに取り付けられている。さらに、埋込プレート４の平行面部４ａには、鏡１０が取り付けられている。
【００２５】
手洗器本体６は、図４に示すように、壁面Ｗに埋め込まれる埋設部６ａと、この埋設部６ａと連続して形成され、埋設部６ａよりも幅が広い突出部６ｂと、を有する。手洗器本体６は、埋設部６ａがコの字形断面の背板２ｅの中に挿入され、突出部６ｂが壁面Ｗの前方に突出するように配置される。また、手洗器本体６は、突出部６ｂの後端面である当接面６ｃを壁面Ｗの方向に押し付けることによって位置決めされている。さらに、手洗器本体６の内側には、壁面Ｗと平行にほぼ鉛直方向に延びる正面部と、この正面部から連続して前方に湾曲するように構成され、吐水された水道水を受けるボウル部が形成されている。なお、本実施形態においては、手洗器本体６は陶器製である。
【００２６】
また、手洗器本体６は、図１に示すように、キャビネット本体２の天板２ｄの上に載置されており、キャビネット本体２の天板２ｄと手洗器本体６の底面６ｇが締結用ボルトにより結合されることによって固定されている。手洗器本体６の取り付けの詳細は、後述する。また、手洗器本体６上端部には、機能部６ｄが設けられており、この機能部６ｄには、使用者が手洗器本体６内に手指を入れたことを検知するセンサと、このセンサの検出信号に基づいて、吐水状態と止水状態に切り替えられる開閉弁と、これらを作動させるコントローラが内蔵されている（以上図示せず）。さらに、機能部６ｄの下面には、スパウト６ｅが形成されている。
【００２７】
また、図１に示すように、手洗器本体６上端部の機能部６ｄの前面は、壁面Ｗよりも奥に位置するように構成されている。本実施形態においては、手洗器本体６は、そのあふれ縁６ｆが、床面Ｆから約８０ｃｍの高さに位置するように配置されている。また、本実施形態においては、手洗器本体６上端部は床面Ｆから約１０５ｃｍの高さに位置し、機能部６ｄの前面は、壁面Ｗよりも約４ｃｍ奥に位置する。好ましくは、手洗器本体のあふれ縁の高さは、床面Ｆから約７５乃至８５ｃｍであり、このあふれ縁から約２０乃至３０ｃｍ上方の約９５乃至１１５ｃｍの高さに位置する手洗器本体の上端部は、壁面Ｗよりも約４乃至８ｃｍ奥に位置させる。
【００２８】
これにより、平均的な身長の成人男子が、自然な姿勢で手洗器本体６の最奥部Ｐを覗き込む際の視線である床面Ｆに対して約７７゜で交差する直線が、手洗器本体の上端部によって遮られることがなくなる。即ち、このように手洗器キャビネットを構成することによって、平均的な身長の成人男子が、自然な姿勢で手を洗う際に、視線を遮られることなく手指を視認することができる。
【００２９】
次に、図６を参照して、手洗器本体６の取り付け構造を説明する。図６は、手洗器本体６の取り付け部分を拡大して示す側面断面図である。
図６に示すように、キャビネット本体２の天板２ｄは、その前方側が高く、後方側が低く形成されている。このため、手洗器本体６の底面６ｇとキャビネット本体２の天板２ｄは、天板２ｄが高く形成された前方側の領域のみで当接する。即ち、手洗器本体６の底面６ｇとキャビネット本体２の天板２ｄが接触する領域と接触しない領域の境界線である当接境界軸線１２よりも前方の領域で底面６ｇと天板２ｄが当接し、当接境界軸線１２よりも後方の領域では底面６ｇと天板２ｄは当接しない。本実施形態においては、当接境界軸線１２は、壁面Ｗとほぼ平行、且つほぼ水平方向に、即ち、図６において紙面と直交する方向に延びている。
【００３０】
また、手洗器本体６をキャビネット本体２に固定する固定手段である締結用ボルト１４が、当接境界軸線１２よりも前方の領域、及び当接境界軸線１２よりも後方の領域に夫々２本ずつ配置されている（図６には、夫々１本ずつ図示）。各締結用ボルト１４は、夫々、手洗器本体６の底面６ｇに形成された雌ねじ穴に螺合され、手洗器本体６を天板２ｄに引きつけるように作用する。当接境界軸線１２よりも後方の領域にある締結用ボルト１４を締め付けることにより、手洗器本体６は、その上端部が、当接境界軸線１２を中心に後方に回転される力を受ける。この力により、手洗器本体６の突出部６ｂの当接面６ｃ上部は、壁面Ｗの方向に押しつけられ、手洗器本体６が位置決めされる。このように、当接境界軸線１２の前方及び後方の領域にある各締結用ボルト１４の締め付け力を調整することにより、キャビネット本体２、手洗器本体６等の位置決め誤差、寸法誤差等を吸収して、手洗器本体６を確実に位置決めすることができる。
【００３１】
本発明の実施形態の手洗器キャビネットによれば、手洗器本体の上端部の前面が壁面よりも奥に位置するように位置決めされているので、使用者が手を洗う際に、使用者は視線を遮られることなく、手指を視認することができる。
【００３２】
また、本実施形態の手洗器キャビネットによれば、手洗器本体が、キャビネット本体の天板と手洗器本体の底面とを結合する締結用ボルトのみによって固定されているので、手洗器本体の上端部を固定するために手洗器本体の上端部が大型化することがなく、手洗器本体の上端部の前面を、容易に壁面よりも奥に位置させることができる。
【００３３】
さらに、本実施形態の手洗器キャビネットによれば、手洗器本体の底面が当接境界軸線よりも前方の領域のみでキャビネット本体の天板と当接し、当接境界軸線の前後に配置された締結用ボルトを締めることにより、手洗器本体がキャビネット本体に固定されるので、手洗器本体の突出部の当接面が壁面の方向に押しつけられ、手洗器本体を容易に位置決めすることができる。
【００３４】
また、本実施形態の手洗器キャビネットによれば、埋込プレートが床面から１９０ｃｍの高さまで延びているので、手洗器を埋め込んだ壁面が使用者と干渉することが無く、使用者は自然な姿勢で手を洗うことができる。
【００３５】
以上、本発明の好ましい実施形態を説明したが、上述した実施形態に種々の変更を加えることができる。特に、上述した実施形態においては、手洗器本体は陶器製であったが、手洗器本体を樹脂で構成することもできる。
【００３６】
また、上述した実施形態においては、キャビネット本体の上方に背板が延び、その上方に埋込プレートが配置されていたが、埋込プレートが、手洗器本体の後部まで延びるように構成することもできる。
【００３７】
さらに、上述した実施形態においては、当接境界軸線よりも後方の締結用ボルトを締めることにより、手洗器本体の突出部の当接面を当接させていたが、手洗器本体の埋設部の背面をキャビネット本体の背板に当接させるように構成することもできる。
【００３８】
また、上述した実施形態においては、キャビネット本体の天板の後部を低く形成することにより、天板の前部のみが手洗器本体の底面と当接するように構成されていたが、逆に、天板を平面とし、手洗器本体の底面の後部を削ることにより、天板の前部のみが手洗器本体の底面と当接するように構成することもできる。
【図面の簡単な説明】
【００３９】
【図１】本発明の実施形態による手洗器キャビネットの側面断面図である。
【図２】本発明の実施形態による手洗器キャビネットの正面図である。
【図３】図２のIII−III線における断面図である。
【図４】図２のIV−IV線における断面図である。
【図５】図２のV−V線における断面図である。
【図６】手洗器本体の取り付け部分を拡大して示す側面断面図である。
【図７】従来の埋め込み式の手洗器の側面断面図である。
【符号の説明】
【００４０】
Ｃ      補強木
Ｆ      床面
Ｐ      手洗器本体の最奥部
Ｗ      壁面
１      本発明の実施形態による手洗器キャビネット
２      キャビネット本体
２ａ    キャビネット本体前半部
２ｂ    キャビネット本体後半部
２ｃ    後端部
２ｄ    天板
２ｅ    背板
４      埋込プレート
４ａ    平行面部
４ｂ    側面部
４ｃ    縁部
６      手洗器本体
６ａ    埋設部
６ｂ    突出部
６ｃ    当接面
６ｄ    機能部
６ｅ    スパウト
６ｆ    あふれ縁
６ｇ    底面
８      木ねじ
１０    鏡
１２    当接境界軸線
１４    締結用ボルト
１００  従来の埋め込み式手洗器
１０２  縁部
【図１】
0004697667.tif 000002
【図２】
0004697667.tif 000003
【図３】
0004697667.tif 000004
【図４】
0004697667.tif 000005
【図５】
0004697667.tif 000006
【図６】
0004697667.tif 000007
【図７】
0004697667.tif 000008